(57)【要約】      （修正有）【課題】青果物を透過した透過光を受光部が充分に受光し、さらに搬送用トレーを大型化することなく、高精度な計測が可能な青果物の内部品質検査装置を提供する。【解決手段】青果物を載置して搬送ライン上を搬送されるとともに、前記青果物を囲う周壁部材に切欠部が設けられた搬送用トレーと、前記搬送用トレーに載置され搬送ライン上を搬送される青果物に対し、少なくとも前記搬送用トレーの上端面よりも上部に位置するとともに、前記搬送ラインの一方側の斜め上方より測定用光を照射する光源と、前記光源より照射された測定用光のうち、青果物を透過した透過光を、前記搬送用トレーの周壁部材に設けられた切欠部を介して受光するとともに、前記搬送ラインを挟んで光源と対峙するように青果物の側方に配置された受光部と、前記受光部で受光し青果物を透過した透過光を解析して、青果物の内部品質を判定する判定手段と、を備える。【選択図】図３
2008128821.tif 000002
【特許請求の範囲】
【請求項１】
青果物を載置して搬送ライン上を搬送されるとともに、前記青果物を囲う周壁部材に切欠部が設けられた搬送用トレーと、
前記搬送用トレーに載置され搬送ライン上を搬送される青果物に対し、少なくとも前記搬送用トレーの上端面よりも上部に位置するとともに、前記搬送ラインの一方側の斜め上方より測定用光を照射する光源と、
前記光源より照射された測定用光のうち、青果物を透過した透過光を、前記搬送用トレーの周壁部材に設けられた切欠部を介して受光するとともに、前記搬送ラインを挟んで光源と対峙するように青果物の側方に配置された受光部と、
前記受光部で受光し青果物を透過した透過光を解析して、青果物の内部品質を判定する判定手段と、
を備えることを特徴とする青果物の内部品質検査装置。
【請求項２】
前記光源が設けられる範囲が、
前記搬送用トレーの前記上端面から青果物の直上までの範囲内であることを特徴とする請求項１に記載の青果物の内部品質検査装置。
【請求項３】
前記光源が、複数個設けられていることを特徴とする請求項１または２に記載の青果物の内部品質検査装置。
【請求項４】
前記搬送用トレーに、
前記青果物を囲う前記周壁部材の周縁から内方へ延出するヒレ状の可撓性部材が設けられていることを特徴とする請求項１から３のいずれかに記載の青果物の内部品質検査装置。
【請求項５】
前記判定手段が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、さらにこれらの透過光データを積算して積算データを作成し、この積算データから青果物内部の内部品質を判定するように構成されていることを特徴とする請求項１に記載の青果物の内部品質検査装置。
【請求項６】
前記判定手段が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、これら複数の透過光データから青果物内部の局所的な内部品質を判定するように構成されていることを特徴とする請求項１に記載の青果物の内部品質検査装置。
【請求項７】
青果物を囲う周壁部材に切欠部が設けられた搬送用トレーに、前記青果物を載置して搬送ライン上を搬送する工程と、
前記搬送用トレーに載置され搬送ライン上を搬送された青果物に対し、少なくとも前記搬送用トレーの上端面よりも上部に位置するとともに、前記搬送ラインの一方側の斜め上方に位置する光源より測定用光を照射する工程と、
前記搬送ラインを挟んで光源と対峙するように青果物の側方に配置された受光部で、前記搬送用トレーの周壁部材に設けられた切欠部を介して、光源より照射された測定用光のうち、青果物を透過した透過光を受光する工程と、
前記受光部で受光し青果物を透過した透過光を解析して、青果物の内部品質を判定手段で判定する工程と、
を有することを特徴とする青果物の内部品質検査方法。
【請求項８】
前記光源が設けられる範囲が、
前記搬送用トレーの前記上端面から青果物の直上までの範囲内であることを特徴とする請求項７に記載の青果物の内部品質検査方法。
【請求項９】
前記光源が、複数個設けられていることを特徴とする請求項７または８に記載の青果物の内部品質検査方法。
【請求項１０】
前記搬送用トレーに、
前記青果物を囲う前記周壁部材の周縁から内方へ延出するヒレ状の可撓性部材が設けられていることを特徴とする請求項７から９のいずれかに記載の青果物の内部品質検査方法。
【請求項１１】
前記青果物の内部品質を判定手段で判定する工程が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、さらにこれらの透過光データを積算して積算データを作成し、この積算データから青果物内部の内部品質を判定することを特徴とする請求項７に記載の青果物の内部品質検査方法。
【請求項１２】
前記青果物の内部品質を判定手段で判定する工程が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、これら複数の透過光データから青果物内部の局所的な内部品質を判定することを特徴とする請求項７に記載の青果物の内部品質検査方法。
【発明の詳細な説明】
【技術分野】
【０００１】
本発明は、青果物を搬送用トレーに載せて搬送ライン上を搬送させ、青果物に対して光源から測定用光を照射し、青果物の内部を透過した透過光を受光部で検出することにより、青果物の内部品質を測定する青果物の内部品質検査装置、および青果物の内部品質検査方法に関する。
【背景技術】
【０００２】
従来より、果実、野菜などの個々の青果物の最適な収穫時の目安を得るために、その糖度、酸度、熟度等を測定することが行われている。
一方、林檎のツル割れ、内部空洞、芯カビ、梨の芯腐れ、メロンの水浸果など、その青果物に頻発する内部障害がある場合には、収穫後にその内部障害に応じた等級別に選別してから出荷される。
【０００３】
従来、青果物の糖度、酸度、熟度等の果肉品質、あるいは内部障害のような青果物の内部品質を、青果物を破壊することなく外部から測定する種々の技術が提案されており、代表的な技術の一つとして、近赤外光等の光を青果物に照射し、青果物の内部を透過した透過光を検出する方法が知られている。
【０００４】
このように透過光を測定する方法は、図８に示したように、青果物１００に対して光源１１０より測定用光１１２を照射し、青果物１００の内部を散乱、透過した透過光１２２を受光部１２０で受光し、受光部１２０からの検出信号をアンプ部（図示せず）、ＡＤ変換部（図示せず）を介し、演算処理部（図示せず）などで解析して、青果物１００の内部品質を測定するようになっている。
【０００５】
なお、青果物１００は一個ずつ搬送用トレー１３０（例えば特許文献１〜３）に載せて、この搬送用トレー１３０を搬送ライン１４０上に搬送させて、所定の検査部まで搬送して検査が行われている。
【０００６】
近年、青果物を搬送する際に用いられるこのような搬送用トレーは、搬送途中で青果物が揺れるのを防止したり、搬送用トレーから青果物を取り出して箱詰めされるまで青果物の姿勢を安定させるため、図９に示したように収容部２０４が深めの搬送用トレー２００が用いられる傾向にある。
【０００７】
しかしながら、このように収容部２０４が深めの搬送用トレー２００を用いると、青果物１００の一方側の側方に設けられた光源１１０より青果物１００に照射される測定用光１１２の光路が、搬送用トレー２００の周壁部材２０２で遮断されることとなり、測定用光１１２を青果物１００の側面に照射することと、青果物１００を透過した透過光を、他方側の側方に設けられた受光部１２０で受光することが困難であった。
【０００８】
このため、図１０に示したように、搬送用トレー３００の周壁部材３０２の側面に切欠部３０４を設けることで、光源１１０から照射される測定用光１１２を青果物１００側に通過させるとともに、青果物１００を透過した透過光１２２を受光部１２０で受光し、青果物１００の内部品質測定が可能となっている。
【特許文献１】特開２００２−１１４１４号公報
【特許文献２】特開２００４−１０７０５３号公報
【特許文献３】特開２００５−７４３４０号公報
【発明の開示】
【発明が解決しようとする課題】
【０００９】
しかしながら図１１に示したように、搬送用トレー３００に載置され、測定対象となる青果物が、青果物１００ａよりも大きな青果物１００ｂの場合には、前述したように、搬送用トレー３００の周壁部材３０２に切欠部３０４が設けられていても、測定用光１１２を青果物１００ｂに照射することが充分にできず、品質測定が困難なものと成ってしまっていた。
【００１０】
また、搬送用トレー３００は、一般的にこれら様々な大きさの青果物１００ａ，１００ｂを１つの形状で保持することができるように、内壁３０６が中心部に向かって傾斜しており、内部底面３０８が上部開口３１０よりも狭くなった形状を有しているが、搬送用トレー３００に大きな青果物１００ｂを載せると、青果物１００ｂが内壁３０６に接触しないため安定せず、搬送中の青果物１００ｂに揺れが生じて測定精度を低下させてしまう場合があった。
【００１１】
上記問題を解決するために、大きな青果物から小さな青果物までが全て入るような大型の搬送用トレーを用いることが考えられるが、搬送用トレーを大型にすれば製造コストが嵩むとともに、同じ搬送速度に対し、単位時間当たりに搬送できるトレー数が少なくなり処理量が減少してしまうこととなる。
【００１２】
本発明は、このような現状に鑑み、光源より青果物へ充分な測定用光を照射することができるとともに、青果物を透過した透過光を受光部が充分に受光することができ、さらに搬送用トレーを大型化することなく、高精度な計測が可能な青果物の内部品質検査装置および青果物の内部品質検査方法を提供することを目的とする。
【００１３】
また、本発明は、青果物の姿勢が十分に保持され安定した搬送が可能であるとともに、高精度な計測が可能な青果物の内部品質検査装置および青果物の内部品質検査方法を提供することを目的とする。
【課題を解決するための手段】
【００１４】
本発明は、前述したような従来技術における課題及び目的を達成するために発明されたものであって、本発明の青果物の内部品質検査装置は、
青果物を載置して搬送ライン上を搬送されるとともに、前記青果物を囲う周壁部材に切欠部が設けられた搬送用トレーと、
前記搬送用トレーに載置され搬送ライン上を搬送される青果物に対し、少なくとも前記搬送用トレーの上端面よりも上部に位置するとともに、前記搬送ラインの一方側の斜め上方より測定用光を照射する光源と、
前記光源より照射された測定用光のうち、青果物を透過した透過光を、前記搬送用トレーの周壁部材に設けられた切欠部を介して受光するとともに、前記搬送ラインを挟んで光源と対峙するように青果物の側方に配置された受光部と、
前記受光部で受光し青果物を透過した透過光を解析して、青果物の内部品質を判定する判定手段と、
を備えることを特徴とする。
【００１５】
さらに、本発明の青果物の内部品質検査方法は、
青果物を囲う周壁部材に切欠部が設けられた搬送用トレーに、前記青果物を載置して搬送ライン上を搬送する工程と、
前記搬送用トレーに載置され搬送ライン上を搬送された青果物に対し、少なくとも前記搬送用トレーの上端面よりも上部に位置するとともに、前記搬送ラインの一方側の斜め上方に位置する光源より測定用光を照射する工程と、
前記搬送ラインを挟んで光源と対峙するように青果物の側方に配置された受光部で、前記搬送用トレーの周壁部材に設けられた切欠部を介して、光源より照射された測定用光のうち、青果物を透過した透過光を受光する工程と、
前記受光部で受光し青果物を透過した透過光を解析して、青果物の内部品質を判定手段で判定する工程と、
を有することを特徴とする。
【００１６】
このように、搬送用トレーに載置された青果物に、搬送用トレーの上端面よりも上部に設けられた光源より測定用光を照射し、搬送用トレーの周壁部材に設けられた切欠部を介して、青果物内を透過した透過光を受光部で受光すれば、搬送用トレーに載置される青果物の大きさ如何なる大きさであっても、青果物の内部品質検査を精度良く行うことができる。
【００１７】
また、青果物を透過し受光部で受光した透過光を解析し、この透過光のデータを元に判定手段で青果物の内部品質を判定すれば、例えば青果物が基準の糖度を有する良品であるか、また基準の糖度に満たない不良品であるかなどを精度良く判定することができる。
【００１８】
また、本発明の青果物の内部品質検査装置は、
前記光源が設けられる範囲が、
前記搬送用トレーの前記上端面から青果物の直上までの範囲内であることを特徴とする。
【００１９】
さらに、本発明の青果物の内部品質検査方法は、
前記光源が設けられる範囲が、
前記搬送用トレーの前記上端面から青果物の直上までの範囲内であることを特徴とする。
【００２０】
このような範囲内に光源が設けられていれば、青果物の大きさが如何なる大きさであっても、光源から青果物に測定用光を照射し、青果物内を透過した透過光を、搬送用トレーの周壁部材の設けられた切欠部を介して受光部で受光することができる。このため、青果物の内部品質検査を精度良く行うことができる。
【００２１】
また、本発明の青果物の内部品質検査装置は、
前記光源が、複数個設けられていることを特徴とする。
さらに、本発明の青果物の内部品質検査方法は、
前記光源が、複数個設けられていることを特徴とする。
【００２２】
このように青果物に照射光を照射する光源を複数個設ければ、青果物の内部品質検査に必要なだけ、青果物を透過した透過光を得ることができ、青果物の内部品質検査を精度良く行うことができる。
【００２３】
また、本発明の青果物の内部品質検査装置は、
前記搬送用トレーに、
前記青果物を囲う前記周壁部材の周縁から内方へ延出するヒレ状の可撓性部材が設けられていることを特徴とする。
【００２４】
さらに、本発明の青果物の内部品質検査方法は、
前記搬送用トレーに、
前記青果物を囲う前記周壁部材の周縁から内方へ延出するヒレ状の可撓性部材が設けられていることを特徴とする。
【００２５】
このように構成することによって、このヒレ状の複数の可撓性部材によって青果物の側面部が保持されるようになり、搬送用トレーに載置した青果物の姿勢変化が防止され安定した搬送ができる。
【００２６】
また、ヒレ状の可撓性部材が、搬送用トレーの周縁全体に設けられていれば、搬送用トレーに載置した青果物の姿勢変化が防止され安定した搬送ができるとともに、ヒレ状の可撓性部材が、青果物を透過した透過光以外の光を遮断する遮蔽部材としての役割を兼ねることとなり、透過光以外の光によって、測定結果に誤差を生ずることを効果的に防止することができ、青果物の内部品質検査を精度良く行うことができる。
【００２７】
また、本発明の青果物の内部品質検査装置は、
前記判定手段が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、さらにこれらの透過光データを積算して積算データを作成し、この積算データから青果物内部の内部品質を判定するように構成されていることを特徴とする。
【００２８】
さらに、本発明の青果物の内部品質検査方法は、
前記青果物の内部品質を判定手段で判定する工程が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、さらにこれらの透過光データを積算して積算データを作成し、この積算データから青果物内部の内部品質を判定することを特徴とする。
【００２９】
このように構成することによって、青果物の搬送方向に分割された複数の各分割測定部位に対応した分割透過光データを得ることができ、この透過光データを１つの青果物ごとに積算して積算データを作成し、この積算データから青果物の内部品質を判定することができる。
【００３０】
また、本発明の青果物の内部品質検査装置は、
前記判定手段が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、これら複数の透過光データから青果物内部の局所的な内部品質を判定するように構成されていることを特徴とする。
【００３１】
さらに、本発明の青果物の内部品質検査方法は、
前記青果物の内部品質を判定手段で判定する工程が、
前記搬送用トレーに載置された青果物を搬送ライン上に搬送させて、前記青果物に対して受光部に対する青果物の相対位置を変えながら、複数の位置において青果物の内部を透過した透過光を受光部で検出し、これにより青果物の搬送方向に分割された各分割位置に対応した複数の透過光データを得て、これら複数の透過光データから青果物内部の局所的な内部品質を判定することを特徴とする。
【００３２】
このように構成することによって、青果物の搬送方向に分割された複数の各分割測定部
位に対応した分割透過光データを得ることができ、この分割透過光データから青果物内部の局所的な内部品質を測定することができる。
【発明の効果】
【００３３】
本発明によれば、光源より青果物へ充分な測定用光を照射することができるとともに、青果物を透過した透過光を受光部で充分に受光することができ、さらに搬送用トレーを大型化することなく、高精度な計測が可能な青果物の内部品質検査装置および青果物の内部品質検査方法を提供することができる。
【００３４】
また、本発明によれば、青果物の姿勢が十分に保持され安定した搬送が可能であるとともに、高精度な計測が可能な青果物の内部品質検査装置および青果物の内部品質検査方法を提供することができる。
【発明を実施するための最良の形態】
【００３５】
以下、本発明の実施の形態（実施例）を図面に基づいてより詳細に説明する。
図１は、本発明の青果物の内部品質検査装置において用いられる搬送用トレーの全体を示した斜視図、図２は、図１に示した搬送用トレーのＡ−Ａ線における断面図、図３は、本発明の青果物の内部品質検査装置における透過光測定を説明する図である。
【００３６】
本発明の青果物の品質検査装置は、青果物に対して光源から測定用光を照射し、青果物を透過した透過光を受光部にて受光することにより、青果物の内部品質を検査するものである。
【００３７】
なお、本発明において「青果物」とは、本発明が適用可能なあらゆる果実、野菜を含み、例えば蜜柑などの小型の青果物、桃、林檎、梨などの中型の青果物、すいか、メロンなどの大型の青果物を挙げることができる。
【００３８】
本発明の内部品質検査装置を用いて検査される青果物の内部品質には、林檎のツル割れ、内部空洞、芯カビ、梨等の芯腐れ、メロンの水浸果などの青果物に頻発する局所的な内部障害、青果物個体内での糖度の部位差などが含まれる。
【００３９】
まず、本発明の青果物の内部品質検査装置において用いられる、搬送用トレーについて説明する。
図１または図２に示した搬送用トレー２０は、青果物の内部品質を検査する際に、青果物を載せて搬送ライン上を搬送するために用いられるものである。
【００４０】
このような搬送用トレー２０は、円板状の底面部２５と、底面部２５の外縁部分より上方に立設された略筒体形状の周壁部材２２と、を備えており、周壁部材２２の内方が青果物を入れ込む開口部２７となっている。
【００４１】
また底面部２５には、青果物が載置されるよう、逆円錐テーパ状の受座面２６が形成されている。
さらに、周壁部材２２の上端面２９の周縁部２８には、内方に向かってヒレ状の複数の可撓性部材３０が、全周にわたって延設されている。なお可撓性部材３０は、ある程度の剛性とゴム弾性とを有し、可撓性弾性変形によって湾曲可能な材料から形成することが好ましい。
【００４２】
複数の可撓性部材３０は、その基端部が周壁部材２２の周縁部２８に固定されており、青果物を開口部２７より下方に入れ込んだときに、可撓性部材３０の先端部が青果物の側面部に追随して下方へ湾曲し、これによって青果物を外周側から保持できるようになって
いる。
【００４３】
このような搬送用トレー２０において、底面部２５、周壁部材２２、周縁部２８については、例えば樹脂成形によって成形することができる。なお、本実施例では、底面部２５、周壁部材２２、周縁部２８が１つの部材から構成されているように図示されているが、これに限定されるものではなく、複数の部材を組み合わせて搬送用トレー２０とすることも可能であり、どのように構成するかについては、適宜選択が可能である。
【００４４】
次に上記の搬送用トレーを用いた本発明の内部品質検査装置について説明する。
図３に示したように、本発明の内部品質検査装置１０では、測定対象の青果物４０を載せた搬送用トレー２０が、搬送ライン５０上を搬送されるようになっている。なお、図３に示した内部品質検査装置１０は、搬送ライン５０方向の正面から図示したものである。
【００４５】
搬送ライン５０の途中には、搬送ライン５０の幅方向の一方側に光源６０と、搬送ライン５０の他方側に受光部７０とが、互いに対峙するよう設置されており、搬送ライン５０の搬送方向に対して、略垂直な方向に光源６０と受光部７０が位置するよう構成されている。
【００４６】
なお光源６０は、青果物４０を載置した搬送用トレー２０の上端面２９よりも上方に位置するようになっている。
また、受光部７０については、後述する青果物４０を透過した透過光７２を、搬送用トレー２０の周壁部材２２に設けられた切欠部２４を介して受光できるよう、切欠部２４の略側方に設置されている。
【００４７】
このように設置された光源６０と受光部７０との間に、搬送ライン５０上を搬送され、測定対象となる青果物４０を載せた搬送用トレー２０が位置すると、光源６０より照射された測定用光６２が、青果物４０の斜め上方より、青果物４０の一方側の側面に照射されることとなる。
【００４８】
そして、青果物４０の一方側の側方に照射された測定用光６２のうち、青果物４０内を透過した透過光７２を、青果物４０の他方側の側方に設けられた受光部７０で受光する。
この受光部７０で受光された透過光７２のデータが、後述する判定手段（図示せず）で、判定され、青果物４０の内部品質の判定が行われることとなる。
【００４９】
なお、本発明の内部品質検査装置１０では、光源６０が青果物４０を搬送する搬送用トレー２０の上端面２９よりも上部に位置しており、青果物４０に対して、斜め上方から測定用光６２を照射するように構成されているため、図４に示したように、測定対象となる青果物４０が、青果物４０ａからそれよりも大きなの青果物４０ｂ，４０ｃに変わっても、光源６０から大きな青果物４０ｂ，４０ｃの略中央部分に測定用光６２を照射することができる。
【００５０】
このため、青果物４０ａより大きな青果物４０ｂ，４０ｃに対しても、斜め上方から測定用光６２を照射すれば、大きな青果物４０ｂ，４０ｃの内部を透過した透過光７２を受光部７０で受光し、判定手段（図示せず）で青果物の内部品質を判定することができる。
【００５１】
ここで、青果物が大きな青果物４０ｃである場合には、青果物４０ｃの底面は、搬送用トレー２２の受座面２６に当接しないが、青果物４０ｃの側部は、全周にわたってゴム弾性を有する可撓性部材３０と当接することとなるため、青果物４０ｃの保持が良好であり、搬送中であってもぐらつくことなく、青果物４０ｃを傷付けることなく安全に搬送することができる。
【００５２】
また、光源６０を設置する位置は、図５に示したように、設置範囲αを搬送用トレー２０の上端面２９よりも上方で、青果物４０の直上付近までの範囲内に設ければよく、好ましくは、搬送用トレー２０の上端面２９を０°とした場合に、設置範囲αが０°〜９０°の範囲である。
【００５３】
さらに受光部７０については、前述したように光源６０と対峙し、搬送ライン５０の搬送方向に対して垂直な方向であって、青果物４０内を透過した透過光７２を受光できる位置であれば、如何なる箇所に設けられていても良いものであるが、好ましくは、青果物に対して水平面９５を０°とした場合に、設置範囲βが−３０°〜３０°の範囲である。
【００５４】
さらに、このような光源６０としては、図６に示したように多灯（本実施例では２つ）であっても良く、このように光源６０を多灯とすれば、例えばスイカなどの果皮の厚い青果物であったとしても、判定に必要なだけの透過光の光量を得ることができ、高精度の判定をすることができる。
【００５５】
次に、判定手段において青果物４０の内部品質を検査する方法について、図７（ａ）から図７（ｃ）を参照しながら説明する。
図７（ａ）に示したように、搬送ライン５０の幅方向の、一方側の側方に配置された光源６０からは、常に測定用光６２が、搬送ライン５０の幅方向内側に向かって照射されている。なお、符号９０は、搬送ライン５０の搬送方向を示したものである。
【００５６】
次いで図７（ｂ）に示したように、搬送用トレー２０に載せられた青果物４０が、搬送ライン５０上を搬送されて光源６０から照射される測定用光６２の照射を受ける位置まで移動すると、青果物４０が搬送方向へ相対移動しながら、青果物４０内を透過した透過光７２が、青果物４０の他方側の端部に固定された受光部６５で受光される。
【００５７】
受光部６５に入射した透過光７２は、光電変換され、その電気信号は、例えば、アンプ部（図示せず）、ＡＤ変換部（図示せず）などを経て演算処理部（図示せず）へ送られることとなる。なお、本明細書中では、これらのアンプ部（図示せず）、ＡＤ変換部（図示せず）、演算処理部（図示せず）などを総称して判定手段とも呼ぶ。
【００５８】
そして、受光部７０では、搬送方向へ移動する青果物４０から、所定の時間間隔で単位透過光データが収集される。
一方、青果物４０は、その測定部位が、搬送方向を横切るように仕切られた各分割測定部位８０ａ（（図７（ｂ））、８０ｂ（（図７（ｃ））に区分されており、搬送方向への移動によって、最初に図７（ｂ）の分割測定部位８０ａの範囲が、受光部７０で検出され、次に、図７（ｃ）に示した分割測定部位８０ｂの範囲が、受光部７０で検出される。
【００５９】
このようにして、青果物４０の搬送方向前端部の分割測定部位８０ａから、後端部の分割測定部位までの各部位が、受光部７０によって、所定の時間間隔で、単位透過光データが収集されながら、受光部７０を通過する。
【００６０】
このようにして収集された複数の単位透過光データは、分割測定部位８０ａ，８０ｂごとに、その分割測定部位において収集された複数の単位透過光データごとに積算され、分割測定部位８０ａ，８０ｂごとに、単位透過光データを積算した積算分割データが得られる。
【００６１】
例えば、搬送ラインの搬送速度５００ｍｍ／ｓ、青果物の大きさ１００ｍｍ、積算間隔１ｍｓ、であれば、単位透過光データ数は、（１００／５００）×１０００＝２００個で
あり、２００個の単位透過光データが、演算処理部に送られることになる。
【００６２】
演算処理部（図示せず）に送られた青果物４０全体の単位透過光データは、分割測定部位に対応した所定の間隔で積算され、積算分割データとして記憶される。
例えば、この２００個のデータを２０データ単位で積算すれば、２０ｍｓ積算に相当する１０個の積算分割データが得られる。この１０個の積算分割データは、青果物４０を１０個の分割測定部位に区切った場合の各部位に相当するそれぞれのデータである。
【００６３】
以上のようにして得られた青果物４０の積算分割データ（分割透過光データ）に基づき、この積算分割データに対応する青果物４０の分割測定部位を評価すれば、分割測定部位についての微小障害や、青果物個体内での局所的な糖度の部位差などの内部品質情報を得ることができる。
【００６４】
また、場合によって、全ての分割測定部位における積算分割データを積算すれば、これにより得られた積算データを青果物内部の平均情報として利用することができる。
例えば、演算処理部（図示せず）には、予め多数の青果物４０のサンプルに対して、透過光測定と肉眼観察とを行うことにより、内部障害の度合いを示すパラメータが、透過光信号の大きさに対応して設定されている。
【００６５】
そして、積算分割データと、予め用意されたパラメータとを比較することによって、青果物４０の分割測定部位ごとの内部品質検査を行い、検査対象の青果物４０に局所的に偏在する障害の部位を特定することができる。
【００６６】
また、青果物４０の糖度、酸度、熟度などを測定する場合には、青果物４０の種類に応じて設定された光波長範囲の吸光度を測定し、予め積算演算装置に入力されたパラメータと比較することによって、それぞれの分割測定部位における糖度などの部位差を知ることができる。
【００６７】
また、林檎のツル割れ・内部空洞・芯カビ、梨の芯腐れ・メロンの水浸果などの青果物４０の内部障害では、青果物４０個体における障害発生位置と、青果物４０全長に対する障害部の長さとの比が、予めある程度分かっているので、この場合には、搬送ライン５０に対して、一定の方向で青果物４０を載置し、障害予見部位が受光部７０を通過するタイミングで、所定の算出式により、個々の青果物４０の大きさに応じて算出した最適測定時間を割り当てる方法が適している。
【００６８】
青果物４０における最適な分割回数は、青果物４０の種類、形状、大きさ、測定対象品質（内部障害、糖度、酸度など）によって異なるが、例えば、２〜１５回程度である。
青果物４０内における微小障害がある部位や糖度差がある部位が、予め分かっている場合や、青果物４０の中心付近のみを測定したい場合には、予め指定された分割測定部位のみ単位透過光データを収集し、この単位透過光データを積算して積算分割データを得るとよい。
【００６９】
また、上記の判定手段による測定に関する処理は、ソフト（ＣＰＵ処理、ＣＰＵ命令）で行うことができるが、例えば、同等の処理をハードで行ってもよく、あるいはソフトとハードの両方で行うようにしてもよい。
【００７０】
上述した例では、単位透過光データを積算して、この積算分割データを分割測定部位に対応した分割透過光データとしたが、この他、単位透過光データを所定間隔で収集することにより、複数の単位透過光データを得て、この単位透過光データを積算せずに直接に分割透過光データとしてもよい。
【００７１】
また、単位透過光データを積算しながら収集し、積算された複数の単位透過光データを分割透過光データとしてもよい。
さらに、青果物を透過した透過光を、ＣＣＤカメラを受光部として、所定の時間間隔で電荷として蓄積することによって、この蓄積された電荷による複数の単位透過光データを得て、この単位透過光データを用いて分割透過光データを得るようにしてもよい。
【００７２】
また、単位透過光データを所定時間間隔で収集し、複数の単位透過光データを積算して複数の積算分割データを得た後、さらに、複数の積算分割データのうち少なくとも一部を積算した積算データを得るようにしてもよい。
【００７３】
例えば、青果物全体を、Ｎｏ．１〜Ｎｏ．９までの９個の分割測定部位に分割した場合、Ｎｏ．１〜Ｎｏ．９に対応する９個の積算分割データから、分割測定部位の障害値と糖度についての各９個の数値が得られる。
【００７４】
そして、青果物の障害部位が、Ｎｏ．１およびＮｏ．９に対応する部位（青果物４０の両端部分）に頻発し、障害部位以外の可食部位（食用に適さない両端を除いた部分）の平均糖度を調査したい場合には、Ｎｏ．２〜Ｎｏ．８までの積算分割データを新たに積算し直して積算データを作成し、この積算データより、Ｎｏ．２〜Ｎｏ．８までの平均糖度が得られる。
【００７５】
以上、本発明の実施例について説明したが、本発明はこれらの実施例に何ら限定されるものではなく、その要旨を逸脱しない範囲内において各種の変形、変更が可能である。
その一例を以下に示す。
【００７６】
搬送用トレーに、光源より照射された測定用光のうち、青果物を透過した透過光以外の光を遮断する、光遮蔽ゴムシート、光遮蔽樹脂シートなどの遮蔽部材を備えても良い。
このように構成することによって、光源より照射された測定用光のうち、青果物を透過した透過光以外の光を遮断することができるので、透過光以外の光によって測定結果に誤差が生じるのを防止することができ、正確な青果物内部の内部品質を計測することが可能になる。
【００７７】
また、青果物へ測定用光を照射するための光源としては、ハロゲンランプ、キセノンランプ、白色ＬＥＤ、白熱灯などを使用することができ、主に近赤外光、可視光が用いられる。さらに測定用光は、略平行光であってもよく、スリット板、レンズなどを配置して集光したスポット光であってもよい。また、青果物に対して、所定の方向へ測定用光を照射するために、光源からの測定用光をミラーで導くようにしてもよい。
【００７８】
また、青果物からの内部透過光を検出するための受光部は、光電子増倍管、フォトダイオード、ＣＣＤカメラなどで構成することができる。さらに、必要に応じて分光器を配置し、透過光を分光してから受光部へ導くようにしてもよい。
【００７９】
本発明において搬送ライン上に搬送用トレーを搬送させる形態としては、いわゆるフリートレイ方式などが挙げられるが、これに限定されるものではない。
また、本発明のトレーの用途は、従来から知られている青果物内部の平均的な内部品質の計測にも使用できるものである。
【実施例】
【００８０】
（実施例１）
図４に示されているような内部品質検査装置１０を用い、大きな青果物４０ｃについて
の内部品質検査を行った。この内部品質検査装置１０における光源６０は、搬送用トレー２０の上端面よりも上部に設けられ、青果物４０ｃに対して、斜め上方より測定用光６２を照射するようになっている。
【００８１】
このような構成の内部品質検査装置１０は、図７（ａ）から図７（ｃ）を用いて説明した上記の青果物４０ｃの内部品質検査方法を用いて、検査が行われた。
実施例１では、７９個の青果物４０ｃについて、全ての分割測定部位における積算分割データが積算され、それぞれの青果物４０ｃの糖度値を測定した。
【００８２】
また、７９個の青果物４０ｃについては、破壊検査を行い、実際の糖度値についても測定した。
本発明の内部品質検査装置を用いた検査方法で得られた糖度値と、破壊検査によって得られた実際の糖度値について、相関係数と標準偏差を求め、表１としてグラフ化した。
【００８３】
【表１】
2008128821.tif 000003
【００８４】
表１からすれば、破壊検査によって得られた実際の糖度値に対して、本発明の内部品質検査装置を用いた検査方法で得られた糖度値は、相関係数が０．９３、標準偏差が０．３７％であった。特に標準偏差について言えば、測定誤差が極めて少ないとされる標準偏差０．５％以内であり、本発明の内部品質検査装置を用いた検査方法が極めて有用であるこ
とが実証された。
（比較例１）
搬送用トレーの切欠部２４を介して青果物４０ｃに測定用光６２が照射されるよう、搬送用トレーの切欠部の側方に位置し、搬送ラインに対して水平となるように光源６０を配置した以外は、上記の実施例１で行った青果物４０ｃの内部品質検査と同様にして、青果物４０ｃの内部品質検査を行った。
【００８５】
そして、比較例１の内部品質検査装置を用いた検査方法で得られた糖度値と、破壊検査によって得られた実際の糖度値について、相関係数と標準偏差を求め、表２としてグラフ化した。
【００８６】
【表２】
2008128821.tif 000004
【００８７】
表２からすれば、破壊検査によって得られた実際の糖度値に対して、比較例１の内部品質検査装置を用いた検査方法で得られた糖度値は、相関係数が０．８４、標準偏差が０．５５％であった。特に標準偏差について言えば、測定誤差が極めて少ないとされる標準偏差０．５％以上であり、比較例１の内部品質検査装置を用いた検査方法は、本発明の内部品質検査装置を用いた検査方法と比べ、精度が劣っていることが確認された。
【図面の簡単な説明】
【００８８】
【図１】図１は、本発明の青果物の内部品質検査装置において用いられる搬送用トレーの全体を示した斜視図である。
【図２】図２は、図１に示した搬送用トレーのＡ−Ａ線における断面図である。
【図３】図３は、本発明の青果物の内部品質検査装置における透過光測定を説明する図である。
【図４】図４は、本発明の青果物の内部品質検査装置において、青果物の大きさが異なる場合の状態を説明する図である。
【図５】図５は、本発明の青果物の内部品質検査装置において、光源の設置範囲および受光部の設置範囲を説明する図である。
【図６】図６は、本発明の青果物の内部品質検査装置において、光源が複数個設けられた場合を説明する図である。
【図７】図７は、本発明の青果物の内部品質検査装置において、分割測定の方法について説明する図である。
【図８】図８は、従来の搬送用トレーを用いた青果物の内部品質検査装置を説明する図である。
【図９】図９は、従来の搬送用トレーを用いた青果物の内部品質検査装置を説明する図である。
【図１０】図１０は、従来の搬送用トレーを用いた青果物の内部品質検査装置を説明する図である。
【図１１】図１１は、従来の搬送用トレーを用いた青果物の内部品質検査装置を説明する図である。
【符号の説明】
【００８９】
１０・・・内部品質検査装置
２０・・・搬送用トレー
２２・・・周壁部材
２４・・・切欠部
２５・・・底面部
２６・・・受座面
２７・・・開口部
２８・・・周縁部
２９・・・上端面
３０・・・可撓性部材
４０・・・青果物
４０ａ・・青果物
４０ｂ・・青果物
４０ｃ・・青果物
５０・・・搬送ライン
６０・・・光源
６２・・・測定用光
７０・・・受光部
７２・・・透過光
８０ａ・・分割測定部位
８０ｂ・・分割測定部位
９５・・・水平面
α・・・光源の設置範囲
β・・・受光部の設置範囲
１００・・・青果物
１００ａ・・青果物
１００ｂ・・青果物
１１０・・・光源
１１２・・・測定用光
１２０・・・受光部
１２２・・・透過光
１３０・・・搬送用トレー
１４０・・・搬送ライン
２００・・・搬送用トレー
２０２・・・周壁部材
２０４・・・収容部
３００・・・搬送用トレー
３０２・・・周壁部材
３０４・・・切欠部
３０６・・・内壁
３０８・・・内部底面
３１０・・・上部開口
【図１】
2008128821.tif 000005
【図２】
2008128821.tif 000006
【図３】
2008128821.tif 000007
【図４】
2008128821.tif 000008
【図５】
2008128821.tif 000009
【図６】
2008128821.tif 000010
【図７】
2008128821.tif 000011
【図８】
2008128821.tif 000012
【図９】
2008128821.tif 000013
【図１０】
2008128821.tif 000014
【図１１】
2008128821.tif 000015